【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
抗菌性エチレンイミンポリマー又はコポリマーであって、該ポリマー又はコポリマー骨格の窒素原子の１０ないし１００％が、以下の置換基（ａ）ないし（ｄ）：
（ａ）未中断であるか又は１つ以上の酸素原子、硫黄原子、−ＳＯ−又は−ＳＯ2−によ
って１回以上中断され、かつ炭素原子数３ないし６のシクロアルキル基、−ＯＲ、−ＣＯＯＲ、−ＣＯＯＭ、−ＳＯ3Ｍ、−ＳＯ3Ｈ、ホスホン酸、ハロゲン原子、−ＣＯＮＲ'Ｒ
、−ＮＲ'Ｒ、ホスホン酸塩、アンモニウム塩又は式
【化１】
2009524719.tif 000001
で表わされる基又は基−Ｓｉ（Ｇ）3（式中、Ｇの各々は、独立して、ヒドロキシル基、
炭素原子数１ないし４のアルキル基又は炭素原子数１ないし４のアルコキシ基を表わす。）である部分１つ以上によって１回以上置換された、炭素原子数１ないし２４のアルキル基、炭素原子数３ないし２４のアルケニル基、炭素原子数１ないし２４のアルキルカルボニル基又は炭素原子数３ないし２４のアルケニルカルボニル基、
但し、上記置換基の内の少なくとも他の１つもまた存在する場合を除き、未中断の炭素原子数１ないし２４のアルキル基はビグアニド基、炭素原子数３ないし６のシクロアルキル基、−ＣＯＯＭ、−ＣＯＯＲ（式中、Ｒは、未置換のアルキル基を表わす。）、−ＯＲ（式中、Ｒは、Ｈ又は未置換のアルキルカルボニル基を表わす。）又は−ＣＯＮＲ'Ｒによ
って置換されない；
（ｂ）式
【化２】
2009524719.tif 000002
（式中、Ｙ及びＹ'は、独立して、Ｎ、Ｃ−Ｒ、Ｃ−ＯＲ又はＣ−ＮＲＲ'を表わし、Ｄ及
びＤ'は、独立して、Ｒ、−ＯＲ又は−ＮＲＲ'を表わす。）で表わされる複素環；
（ｃ）式
【化３】
2009524719.tif 000003
（式中、ｍ及びｎは、独立して、１、２、３、４、５又は６を表わす。）で表わされる基；又は、
（ｄ）−Ｌ−Ｐｏｌｙ（式中、Ｐｏｌｙは、ポリエーテル、ポリシロキサン、スチレンポリマー又はポリオールから選択される枝分かれした又は枝分かれしていないポリマー又はオリゴマーを表わす。）；
ここで、上記式中、
Ｒ、Ｒ'及びＲ''は、互いに独立して、水素原子；基−Ｌ−Ａｒ、
【化４】
2009524719.tif 000004
未中断の又は１つ以上の酸素原子、硫黄原子、カルボニル基、−ＣＯＯ−、−ＣＯＮＨ−、−ＮＨ−、−ＣＯＮ（炭素原子数１ないし８のアルキル）−又は−Ｎ（炭素原子数１ないし８のアルキル）−によって１回以上中断された炭素原子数１ないし２４のアルキル基、炭素原子数３ないし２４のアルケニル基、炭素原子数３ないし６のシクロアルキル基又は炭素原子数１ないし２４のアルキルカルボニル基を表わし、
前記未中断の又は中断されたアルキル基、アルケニル基、シクロアルキル基又はアルキルカルボニル基は、未置換であるか、又は、１つ以上のハロゲン原子、−ＯＨ、炭素原子数７ないし１２のアラルキル基、炭素原子数２ないし１２のアルキルカルボニル基、炭素原子数１ないし２４のアルコキシ基、炭素原子数２ないし２４のアルキルカルボキシ基、−ＣＯＯＭ、−ＣＯＮＨ2、−ＣＯＮ（Ｈ）（炭素原子数１ないし８のアルキル）基、−Ｃ
ＯＮ（炭素原子数１ないし８のアルキル）2基、−ＮＨ2、−Ｎ（Ｈ）（炭素原子数１ないし８のアルキル）基、−Ｎ（炭素原子数１ないし８のアルキル）2基、−ＳＯ3Ｍ、フェニル基、１つ以上の炭素原子数１ないし８のアルキル基によって１回以上置換されたフェニル基、ナフチル基、１つ以上の炭素原子数１ないし８のアルキル基によって１回以上置換されたナフチル基、未置換の又は１つ以上の炭素原子数１ないし１２のアルキル基によって置換されたプリン基、ピリジン基、ピリミジン基、トリアジン基又はイミダゾール基（ここで、プリン基、ピリジン基、ピリミジン基、トリアジン基又はイミダゾール基は、中性であるか、又は、イオン的に帯電している。）、アミジン、グアニジン、アンモニウム塩、ホスホン酸、ホスホン酸塩又は基
【化５】
2009524719.tif 000005
（式中、Ｑ又はＱ'の各々は、独立して、水素原子、炭素原子数１ないし１２のアルキル
基、フェニル基又はベンジル基を表わす。）によって１回以上置換されており；
又は、
窒素原子に結合する場合、Ｒ及びＲ'は、それらが結合するところの窒素原子と一緒にな
って、未中断の又は−Ｏ−、−ＮＨ−又は−Ｎ（炭素原子数１ないし１２のアルキル）−によって中断された５−、６−又は７−員環を形成し；
Ｌは、直接結合、未中断であるか又は１つ以上の酸素原子によって中断され、かつ未置換であるか又は１つ以上の−ＯＨ、炭素原子数１ないし８のアルキル基、炭素原子数１ないし２４のアルコキシ基、炭素原子数２ないし２４のアルキルカルボキシ基、−ＮＨ2、−
Ｎ（Ｈ）（炭素原子数１ないし８のアルキル）基、−Ｎ（炭素原子数１ないし８のアルキル）2基又はアンモニウム塩によって１回以上置換された炭素原子数１ないし１２のアル
キレン基を表わし；
Ａｒは、未置換の又は１つ以上のハロゲン原子、ＯＨ、炭素原子数１ないし２４のアルコキシ基、炭素原子数２ないし２４のアルキルカルボキシ基、−ＣＯＯＱ''、−ＣＯＮＨ2
、−ＣＯＮ（Ｈ）（炭素原子数１ないし８のアルキル）基、−ＣＯＮ（炭素原子数１ないし８のアルキル）2基、−ＮＨ2、−Ｎ（Ｈ）（炭素原子数１ないし８のアルキル）基、−Ｎ（炭素原子数１ないし８のアルキル）2基、−ＳＯ3Ｍ、ＳＯ3Ｈ、アンモニウム塩、ホ
スホン酸、ホスホン酸塩、未置換の又は１つ以上のハロゲン原子によって１回以上置換された炭素原子数１ないし２４のアルキル基、未置換の又は１つ以上の炭素原子数１ないし８のアルキル基によって１回以上置換された炭素原子数１ないし２４のフェニル基、ナフチル基、
未置換の又は１つ以上の炭素原子数１ないし１２のアルキル基によって置換されたプリン基、ピリジン基、ピリミジン基、トリアジン基又はイミダゾール基（ここで、プリン基、ピリジン基、ピリミジン基、トリアジン基又はイミダゾール基は、中性であるか、又は、イオン的に帯電している。）によって１回以上置換された炭素原子数６ないし１０の芳香族の又は炭素原子数１ないし９の飽和又は不飽和複素環を表わし；
ここで、Ｑ''は、水素原子、金属カチオン、グリコールエーテル基、ポリシロキサン
基、フェニル基又はベンジル基、又は、１つ以上のハロゲン原子、ヒドロキシ基、炭素原子数１ないし２４のアルコキシ基又は炭素原子数１ないし１２のアルキル基によって１回以上置換されたフェニル基又はベンジル基を表わし、
Ｍは、金属カチオン又はアンモニウムカチオンを表わし、かつ、
エチレンイミンポリマーのＮ原子が四置換されている場合、それは、対応する対アニオンとのカチオンを表わす、
の１つ以上によって置換されるところの抗菌性エチレンイミンポリマー又はコポリマー。
【請求項２】
前記置換基の少なくとも１部が、未中断であるか又は１つ以上の酸素原子、硫黄原子、−ＳＯ−又は−ＳＯ2−によって１回以上中断され、かつ１つ以上の−ＯＲ、−ＣＯＯＲ、
−ＣＯＯＭ、−ＮＲ'Ｒ、−ＳＯ3Ｍ、−ＳＯ3Ｈ、ハロゲン原子、−ＮＲ'Ｒ、アンモニウム塩又は式
【化６】
2009524719.tif 000006
で表わされる基によって１回以上置換された炭素原子数１ないし２４のアルキル基、炭素原子数３ないし２４のアルケニル基、炭素原子数１ないし２４のアルキルカルボニル基又は炭素原子数３ないし２４のアルケニルカルボニル基を表わすが、上記置換基の内の少なくとも他の１つもまた存在する場合を除き、未中断の炭素原子数１ないし２４のアルキル基はビグアニド基、−ＣＯＯＭ、−ＣＯＯＲ（式中、Ｒは、未置換のアルキル基を表わす。）又は−ＯＲ（式中、Ｒは、Ｈ又は未置換のアルキルカルボニル基を表わす。）によって置換されないところの請求項１に記載のポリマー又はコポリマー。
【請求項３】
細菌の作用からプラスチック、コーティング、ホーム又はパーソナルケア配合物、工業用配合物又は工業プロセスを保護するための方法であって、有効量の請求項１に記載のポリマー又はコポリマーを該配合物又はプロセスに添加することを含む方法。
【請求項４】
細菌の作用から肌、粘膜及び皮膚付属物を保護するための方法であって、有効量の請求項１に記載のポリマー又はコポリマーを含む製剤を適用することを含む方法。
【請求項５】
細菌の作用から紙、木材、革又は繊維材料を保護するための方法であって、有効量の請求項１に記載のポリマー又はコポリマー、又は、有効量の請求項１に記載のポリマー又はコポリマーを含む組成物を配合又は適用することを含む方法。
【請求項６】
請求項１に記載のポリマー又はコポリマーを含むパーソナルケア製剤、口腔衛生配合物、又は、洗浄及び清浄配合物。
【請求項７】
請求項１に記載のポリマー又はコポリマー及び他の天然又は合成ポリマーを含む組成物。
【請求項８】
請求項１に記載のポリマー又はコポリマーを１つ以上含む組成物。
【請求項９】
硬質表面を清浄及び殺菌するための方法であって、有効量の請求項１に記載のポリマー又はコポリマーを含む製剤を適用することを含む方法。
【請求項１０】
製品の生物付着を防止するための方法であって、請求項１に記載の抗菌性エチレンイミンポリマー又はコポリマーを該製品又は該製品の表面に配合すること、又は、該抗菌性エチレンイミンポリマー又はコポリマーを該製品の表面に、直接、又は、コーティング又はフィルムの一部として適用することを含む方法。
【請求項１１】
硬質表面のための清浄剤及び／又は殺菌剤としての；又は、プラスチック、コーティング、ホーム又はパーソナルケア配合物、工業用配合物、紙、木材、革、繊維材料のための、又は、工業プロセスにおける、細菌の作用に対する防腐剤としての；又は、細菌の作用から肌、粘膜及び／又は皮膚付属物を保護するための配合物の製造のための請求項１に記載のエチレンイミンポリマー又はコポリマーの使用。